【事件の表示】
　特願２００７−２４６６８８「電気光学装置および電子機器」拒絶査定不服審判事件〔平成２１年　４月　９日出願公開、特開２００９−　７５５０８〕について、次のとおり審決する。
【結　論】
　本件審判の請求は、成り立たない。
【理　由】
第１　手続の経緯
　この審判事件に関する出願（以下、「本願」という。）は、平成１９年９月２５日にされた特許出願であって、その手続の経緯の概略は、以下のとおりである。
　平成２４年　５月２８日：拒絶理由通知（同年６月５日発送）
　平成２４年　８月　２日：意見書
　平成２４年　８月　２日：手続補正書（以下、「補正１」という。）
　平成２５年　６月２６日：拒絶理由通知（同年７月２日発送）
　平成２５年　８月２９日：意見書
　平成２５年　８月２９日：手続補正書（以下、「補正２」という。）
　平成２６年　２月２８日：補正却下
　平成２６年　２月２８日：拒絶査定（同年３月４日送達）
　平成２６年　５月２９日：手続補正書（以下、「本件補正」という。）
　平成２６年　５月２９日：審判請求
　
第２　補正却下の決定
［結論］
　本件補正を却下する。
［理由］
１　補正の内容
　本件補正は、本件補正前、すなわち補正１の特許請求の範囲の請求項１を次のように補正することを含む。なお、下線は請求人が付したものであり、補正箇所を示す。
（本件補正前）
「　光の透過率を変更可能な画素を複数備えた表示部と、
　第１フィールドにおいて、第１表示用データに基づいて前記画素の光の透過率を制御し、第１フィールドに続く第２フィールドにおいて、第２表示用データに基づいて前記画素の光の透過率を制御し、前記第２フィールドに続く第３フィールドにおいて、第３表示用データに基づいて前記画素の光の透過率を制御する駆動部と、
　前記画素に、前記第１フィールドにおいて第１色光を照射し、前記第２フィールドにおいて前記第１色光とは異なる色の第２色光を照射し、前記第３フィールドにおいて前記第１色光及び前記第２色光と異なる色の第３色光を照射する照射部と、
　前記駆動部に、第１データに基づく前記第１表示用データを供給し、第２データに基づく前記第２表示用データを供給し、第３データに基づく前記第３表示用データを供給する表示用データ供給部とを備え、
　前記表示用データ供給部は、前記第１データが前記画素の光の透過率を最小値するデータであり、前記第２データが前記画素の光の透過率を前記最小値よりも大きい値とするデータである場合、前記第１表示用データにより制御される前記画素の光の透過率が、前記最小値より大きく、且つ、前記大きい値より小さくなるように前記第１表示用データを変換する変換部を備えることを特徴とする電気光学装置。」
　
（本件補正後）
「　光の透過率を変更可能な画素を複数備えた表示部と、
　第１フィールドにおいて、第１表示用データに基づいて前記画素の光の透過率を制御し、第１フィールドに続く第２フィールドにおいて、第２表示用データに基づいて前記画素の光の透過率を制御し、前記第２フィールドに続く第３フィールドにおいて、第３表示用データに基づいて前記画素の光の透過率を制御する駆動部と、
　前記画素に、前記第１フィールドにおいて第１色光を照射し、前記第２フィールドにおいて前記第１色光とは異なる色の第２色光を照射し、前記第３フィールドにおいて前記第１色光及び前記第２色光と異なる色の第３色光を照射する照射部と、
　前記駆動部に、第１データに基づく前記第１表示用データを供給し、第２データに基づく前記第２表示用データを供給し、第３データに基づく前記第３表示用データを供給する表示用データ供給部とを備え、
　前記表示用データ供給部は、前記第１データが前記画素の光の透過率を最小値するデータであり、前記第２データが前記画素の光の透過率を前記最小値よりも大きい値とするデータである場合、前記第１表示用データにより制御される前記画素の光の透過率が、前記最小値より大きく、且つ、前記大きい値より小さくなるように前記第１表示用データを変換
し、前記第１データと前記第２データとが前記画素の光の透過率を所定の値にするデータであり、前記第３データが前記画素の光の透過率を前記所定の値よりも小さい値にするデータである場合、前記第１表示用データにより制御される前記画素の光の透過率よりも小さくなるように前記第２表示用データを変換
　
２　補正の適否（補正の目的要件）について
　本件補正のうち、請求項１についての補正は、「変換部」に関して、補正前の請求項１に記載された「前記第１データが前記画素の光の透過率を最小値するデータであり、前記第２データが前記画素の光の透過率を前記最小値よりも大きい値とするデータである場合、前記第１表示用データにより制御される前記画素の光の透過率が、前記最小値より大きく、且つ、前記大きい値より小さくなるように前記第１表示用データを変換する」という発明特定事項とは別に、「前記第１データと前記第２データとが前記画素の光の透過率を所定の値にするデータであり、前記第３データが前記画素の光の透過率を前記所定の値よりも小さい値にするデータである場合、前記第１表示用データにより制御される前記画素の光の透過率よりも小さくなるように前記第２表示用データを変換する」という発明特定事項を追加するものであるところ、当該追加された発明特定事項は、補正前の請求項１に記載された発明特定事項を限定するものではなく、補正前の請求項１に記載された発明特定事項とは別個の作用を有する発明特定事項を付加するものであるから、請求項１についての補正は、限定的減縮であるとはいえない。（「特許・実用新案審査基準」第III部第III節４．３．２（２）のなお書きを参照。）
　また、請求項１において、上記の発明特定事項を追加することが、誤記の訂正であるとも、また、明りょうでない記載の釈明であるともいうことはできない。
　したがって、本件補正は、特許法第１７条の２第５項の各号に掲げるいずれの事項を目的とするものにも該当せず、同法第１７条の２第５項の規定に違反するものであるから、同法第１５９条第１項において読み替えて準用する同法第５３条第１項の規定により却下されるべきものである。
　
３　補正の適否（特許法第２９条第２項による独立特許要件）について
（１）本件補正発明
　本件補正によって補正された特許請求の範囲の請求項１ないし５に記載された事項により特定される発明のうち、その請求項１に係る発明は、上記「第２　１　（本件前正後）」に記載したとおりである。（以下、「本件補正発明」という。）
　
（２）引用例記載の事項・引用発明
ア　引用例１
　原査定の拒絶の理由に引用され、本願出願前に日本国内又は外国において頒布された刊行物である特開２００６−２２７４５８号公報（発明の名称：フィールドシーケンシャル液晶表示装置、出願人：セイコーインスツル株式会社、公開日：平成１８年８月３１日、以下、「引用例１」という。）には、次の事項（ａ）ないし（ｄ）が図面とともに記載されている。なお、下線は、当審が付与した。
（ａ）
 「【００１４】
  本発明の液晶表示装置は、ツイストネマティック液晶層を備え、ねじれピッチｐと前記ツイストネマティック液晶層の厚みとなる間隙ｄとの間に、ｐ／ｄ＜２０の関係を有する液晶表示素子を、各温度に対するリセット電圧と表示データの書き込み電圧に対する、液晶表示素子の応答速度を記憶したデータテーブルを使用して、
フィールドシーケンシャル方式を用い
駆動する
【発明を実施するための最良の形態】
 【００１５】
  本発明の
フィールドシーケンシャル液晶表示装置は、各色に対応する画像データを液晶表示素子に書き込み、各色の画像データ書込みに同期させて各色を発光するバックライトを用いてその色の画像データに応じた画像を表示している。
（ｂ）
「【００２０】
  本実施例の液晶表示装置の構成を図１に模式的に示す。図示するように、ＴＦＴアレイ基板８にはプレーナ型のＴＦＴスイッチ７を作成し、図では省略するが、ＴＦＴアレイを形成することで、
ＴＦＴスイッチ７によるアレイ状の画素電極６を形成している。また、
ＴＦＴ画素スイッチは走査用のゲート電極とデータ書き込み用のソース電極も形成されいわゆるアクティブマトリックス駆動できる構成になっている。
（ｃ）
「【００３２】
  図７は色変換演算のフローを示す模式図である。
入力された、ＲＧＢの画像データは
演算により
画像データＲ'、Ｇ'、Ｂ'に変換される。
【００３３】
  図８と図９により色変換演算のフローの例を模式的に説明する。図８は−２０℃における通常の駆動を用いたフィールドシーケンシャルで緑単色を表示した場合の駆動電圧と液晶の透過率応答を表すタイミングチャートである。赤・青・緑のフィールド時間内にリセットと画像データの書き込みを行う方式を取っている。緑単色の表示はリセット後に書き込む電圧で、白を１で規格化している。Ｒデータは０、Ｇデータは１、Ｂデータは０となり、液晶に印加される。その透過率応答はＲでは黒状態、Ｇではゆっくり透過率が上昇するが、十分明るくなる前にＢのリセットで黒になってしまう。実際の液晶の応答は電圧変化時からの遅延があるので、フィールドの切り替えタイミングから少し遅れる。結局Ｇの輝度は暗くなる。
【００３４】
   一方、本発明の方法を使用した、−２０℃における通常の駆動を用いた
フィールドシーケンシャルで緑単色を表示した場合
演算前の画像データは、Ｒデータは０、Ｇデータは１、Ｂデータは０である。
Ｒデータは０．３、Ｇデータは１、Ｂデータは０となり、液晶に印加される。その透過率応答は、Ｒでは助走されるが応答の遅れにより黒状態、ＧではＲの助走の効果で速やかに明るくなり飽和状態に近い透過率となる。
（ｄ）
　図８，９には、
Ｒフィールド、Ｇフィールド、Ｂフィールドの順番のフィールドシーケンシャル
　
（ア）
　前記（ａ）の記載から、
「各色に対応する画像データを液晶表示素子に書き込み、各色の画像データ書込みに同期させて各色を発光するバックライトを用いてその色の画像データに応じた画像を表示するフィールドシーケンシャル液晶表示装置」であるとの技術事項が読み取れる。
（イ）
　前記（ｂ）の記載から、
「ＴＦＴスイッチ７によるアレイ状の画素電極６を形成し、また、ＴＦＴ画素スイッチは走査用のゲート電極とデータ書き込み用のソース電極も形成されいわゆるアクティブマトリックス駆動できる構成になって」いるとの技術事項が読み取れる。
（ウ）
　前記（ａ）及び（ｄ）より、
「Ｒフィールド、Ｇフィールド、Ｂフィールドの順番のフィールドシーケンシャル方式を用いて駆動され」るとの技術事項が読み取れる。
（エ）
　前記（ｃ）の記載から、
「フィールドシーケンシャルで緑単色を表示した場合、Ｒデータは０、Ｇデータは１、Ｂデータは０である演算前の画像データは、Ｒデータは０．３、Ｇデータは１、Ｂデータは０となり、液晶に印加され、透過率応答は、ＧではＲの助走の効果で速やかに明るくなり飽和状態に近い透過率となる」との技術事項が読み取れる。
　
　以上の技術事項をまとめると、引用例１には次の発明が記載されているものと認められる。
「各色に対応する画像データを液晶表示素子に書き込み、各色の画像データ書込みに同期させて各色を発光するバックライトを用いてその色の画像データに応じた画像を表示するフィールドシーケンシャル液晶表示装置であって、
　ＴＦＴスイッチ７によるアレイ状の画素電極６を形成し、また、ＴＦＴ画素スイッチは走査用のゲート電極とデータ書き込み用のソース電極も形成されいわゆるアクティブマトリックス駆動できる構成になっており、
　Ｒフィールド、Ｇフィールド、Ｂフィールドの順番のフィールドシーケンシャル方式を用いて駆動され、
　フィールドシーケンシャルで緑単色を表示した場合、Ｒデータは０、Ｇデータは１、Ｂデータは０である演算前の画像データは、Ｒデータは０．３、Ｇデータは１、Ｂデータは０となり、液晶に印加され、透過率応答は、ＧではＲの助走の効果で速やかに明るくなり飽和状態に近い透過率となる、
　フィールドシーケンシャル液晶表示装置。」（以下、「引用発明」という。）
　
イ　引用例２
　本願出願前に日本国内又は外国において頒布された刊行物である「Kazuo SEKIYA et al，“LP-4: Late-News Poster: Overdrive for Compensating Color-Shift on Field Sequential Color TFT-LCDs”，SID'04 DIGEST，２００４年５月２５日，ｐｐ．４０８−４１１」（以下「引用例２」という。）には、次の事項（ａ）及び（ｂ）が図面とともに記載されている。なお、摘記箇所に続いて当審訳を記載する。また、当審訳に付与されている下線は、当審が付与したものである。
（ａ）
「ABSTRACT 
This paper points out that field sequential color method causes color-shift artifact on TFT-LCDs in its nature, and that overdrive scheme can work for the purpose of eliminating the artifact. 」（第４０８頁左欄「ABSTRACT 」）
「要約
　本論文は、
フィールドシーケンスカラー方法は、ＴＦＴ液晶ディスプレーのカラーシフトのアーチファクトを事実上生じるものである
（ｂ）
 「Figure 2 shows a measurement on optical transmittance of pixels displaying whitish yellow (R=G=200/255,B=20/255, all values in linear scale of 8bits) without overdriving. The graph contains a response for 3 frames, i.e., 9 fields. The measured values are direct read of the current of a photo diode. ・・・ In figure 2, RGB field boundaries and the corresponding LED lighting timings are also shown. ・・・ Evidently the peak of R is lower than the peak of G and the luminance produced with this response is different between R and G, while the intended R and G luminance are same ― the resulted color is shifted to green from the targeted chromaticity.」（第４１０頁左欄第８行〜第２６行）
「図２は、オーバードライブしないで
白っぽい黄色（Ｒ＝Ｇ＝２００/２５５、Ｂ＝２０/２５５、全ての値は、８ビットのリニアスケールである。）を表示する
ＲとＧの輝度が同じであると意図されたが、明らかにＲのピークがＧのピークより低く、それによって生じた輝度はＲとＧの間で異なっている。− 結果として生じる色は、目標の色度から緑にシフトされる。
　
（ア）
　前記（ａ）及び（ｂ）の記載から、引用例２には、「フィールドシーケンスカラー方法は、ＴＦＴ液晶ディスプレーのカラーシフトのアーチファクトを事実上生じるものであり、白っぽい黄色（Ｒ＝Ｇ＝２００/２５５、Ｂ＝２０/２５５、全ての値は、８ビットのリニアスケールである。）を表示する場合、ＲとＧの輝度が同じであると意図されたが、明らかにＲのピークがＧのピークより低く、それによって生じた輝度はＲとＧの間で異なり、 結果として生じる色は、目標の色度から緑にシフトされる。」との技術事項が記載されているといえる。
　
（３）対比
　本件補正発明と引用発明とを、主たる構成要件毎に順次対比する。
ア
　引用発明の「液晶表示装置」は、電圧を掛けることで光透過率を変化する「液晶」を用いた装置であるから、本件補正発明の「電気光学装置」に相当するといえる。
イ
　引用発明における「各色に対応する画像データを液晶表示素子に書き込み、各色の画像データ書込みに同期させて各色を発光するバックライトを用いてその色の画像データに応じた画像を表示するフィールドシーケンシャル液晶表示装置」は、「アクティブマトリックス駆動できる構成」の「液晶表示装置」であり、マトリックス状の複数の画素を有する液晶表示部を有することは明らかであるから、引用発明の「画像データに応じた画像を表示するフィールドシーケンシャル液晶表示装置」は、本件補正発明の「光の透過率を変更可能な画素を複数備えた表示部」を備えているということができる。
ウ
　引用発明は、「Ｒフィールド、Ｇフィールド、Ｂフィールドの順番のフィールドシーケンシャル方式を用いて駆動され」ることから、引用発明の「Ｒフィールド」、「Ｇフィールド」、及び「Ｂフィールド」は、本件補正発明の「第１フィールド」、「第１フィールドに続く第２フィールド」、及び「前記第２フィールドに続く第３フィールド」にそれぞれ相当する。
エ
　引用発明は、「各色に対応する画像データを液晶表示素子に書き込み」を行うものであって、液晶表示素子に書き込まれる各色に対応する画像データは、本件補正発明の「第１表示用データ」、「第２表示用データ」、「第３表示用データ」に相当するから、引用発明の「フィールドシーケンシャル液晶表示装置」は、本件補正発明の「第１フィールドにおいて、第１表示用データに基づいて前記画素の光の透過率を制御し、第１フィールドに続く第２フィールドにおいて、第２表示用データに基づいて前記画素の光の透過率を制御し、前記第２フィールドに続く第３フィールドにおいて、第３表示用データに基づいて前記画素の光の透過率を制御する駆動部」を備えているということができる。また、引用発明における「各色の画像データ書込みに同期させて各色を発光するバックライト」は、「Ｒフィールド、Ｇフィールド、Ｂフィールドの順番」に同期させてＲ、Ｇ、Ｂのバックライトを発光するものであるから、本件補正発明の「前記画素に、前記第１フィールドにおいて第１色光を照射し、前記第２フィールドにおいて前記第１色光とは異なる色の第２色光を照射し、前記第３フィールドにおいて前記第１色光及び前記第２色光と異なる色の第３色光を照射する照射部」に相当する。
オ
　引用発明の「フィールドシーケンシャルで緑単色を表示した場合、Ｒデータは０、Ｇデータは１、Ｂデータは０である演算前の画像データは、Ｒデータは０．３、Ｇデータは１、Ｂデータは０となり、液晶に印加され」ることにおいて、「演算前の画像データ」である「Ｒデータ」、「Ｇデータ」、及び「Ｂデータ」は、本件補正発明の「第１データ」、「第２データ」、及び「第３データ」にそれぞれ相当し、「演算」された後の液晶表示素子に書き込まれる画像データである「Ｒデータ」、「Ｇデータ」、及び「Ｂデータ」は、本件補正発明の「第１データに基づく前記第１表示用データ」、「第２データに基づく前記第２表示用データ」、及び「第３データに基づく前記第３表示用データ」にそれぞれ相当するから、引用発明の「フィールドシーケンシャル液晶表示装置」は、本件補正発明の「前記駆動部に、第１データに基づく前記第１表示用データを供給し、第２データに基づく前記第２表示用データを供給し、第３データに基づく前記第３表示用データを供給する表示用データ供給部」を備えているということができる。
　また、引用発明において、「演算前の画像データ」が、「Ｒデータは０、Ｇデータは１、Ｂデータは０」である場合、つまり、「フィールドシーケンシャルで緑単色を表示した場合」は、Ｒデータ（第１データ）が０（最小値）であり、Ｇデータ（第２データ）が１（最小値よりも大きい値）を意味するから、本件補正発明の「前記第１データが前記画素の光の透過率を最小値するデータであり、前記第２データが前記画素の光の透過率を前記最小値よりも大きい値とするデータである場合」に相当する。
　そして、引用発明において、「演算」された後、「Ｒデータは０．３、Ｇデータは１、Ｂデータは０となり、液晶に印加され、透過率応答は、ＧではＲの助走の効果で速やかに明るくなり飽和状態に近い透過率となる」ことは、演算前のＲデータ（第１データ）である０が、演算により、液晶表示素子に書き込まれるＲデータ（第１表示用データ）として０．３に変換されることを意味するものである。
　ここで、０．３は、最小値である０よりも大きく、且つ、最小値よりも大きい値とするＧデータ（第２データ）の１より小さい値であるから、引用発明は、本件補正発明の「前記第１表示用データにより制御される前記画素の光の透過率が、前記最小値より大きく、且つ、前記大きい値より小さくなるように前記第１表示用データを変換」する「変換部」を備えているということができる。
　
　してみると、両者の一致点及び相違点は、以下のとおりである。
（一致点）
「光の透過率を変更可能な画素を複数備えた表示部と、
　第１フィールドにおいて、第１表示用データに基づいて前記画素の光の透過率を制御し、第１フィールドに続く第２フィールドにおいて、第２表示用データに基づいて前記画素の光の透過率を制御し、前記第２フィールドに続く第３フィールドにおいて、第３表示用データに基づいて前記画素の光の透過率を制御する駆動部と、
　前記画素に、前記第１フィールドにおいて第１色光を照射し、前記第２フィールドにおいて前記第１色光とは異なる色の第２色光を照射し、前記第３フィールドにおいて前記第１色光及び前記第２色光と異なる色の第３色光を照射する照射部と、
　前記駆動部に、第１データに基づく前記第１表示用データを供給し、第２データに基づく前記第２表示用データを供給し、第３データに基づく前記第３表示用データを供給する表示用データ供給部とを備え、
　前記表示用データ供給部は、前記第１データが前記画素の光の透過率を最小値するデータであり、前記第２データが前記画素の光の透過率を前記最小値よりも大きい値とするデータである場合、前記第１表示用データにより制御される前記画素の光の透過率が、前記最小値より大きく、且つ、前記大きい値より小さくなるように前記第１表示用データを変換する変換部を備えることを特徴とする電気光学装置。」
　
（相違点）
　本件補正発明は、「前記第１データと前記第２データとが前記画素の光の透過率を所定の値にするデータであり、前記第３データが前記画素の光の透過率を前記所定の値よりも小さい値にするデータである場合、前記第１表示用データにより制御される前記画素の光の透過率よりも小さくなるように前記第２表示用データを変換する」のに対し、引用発明は、そのような変換をしていない点で相違している。
　
（４）判断
　上記相違点について検討する。
　引用例２に、「フィールドシーケンスカラー方法は、ＴＦＴ液晶ディスプレーのカラーシフトのアーチファクトを事実上生じるものであり、白っぽい黄色（Ｒ＝Ｇ＝２００/２５５、Ｂ＝２０/２５５、全ての値は、８ビットのリニアスケールである。）を表示する場合、ＲとＧの輝度が同じであると意図されたが、明らかにＲのピークがＧのピークより低く、それによって生じた輝度はＲとＧの間で異なり、 結果として生じる色は、目標の色度から緑にシフトされている。」との技術事項が記載されている。（上記（２）イ（ア）参照。）
　ここで、フィールドシーケンスカラー方法で、ＴＦＴ液晶ディスプレーで白っぽい黄色（Ｒ＝Ｇ＝２００/２５５、Ｂ＝２０/２５５）を表示する場合とは、「Ｒ＝Ｇ＝２００/２５５」が、本件補正発明の「前記第１データ（Ｒ）と前記第２データ（Ｇ）とが前記画素の光の透過率を所定の値（２００/２５５）にするデータ」に相当し、「Ｂ＝２０/２５５」が、本件補正発明の「前記第３データ（Ｂ）が前記画素の光の透過率を前記所定の値よりも小さい値（２０/２５５）にするデータ」に相当するから、本件補正発明における「前記第１データと前記第２データとが前記画素の光の透過率を所定の値にするデータであり、前記第３データが前記画素の光の透過率を前記所定の値よりも小さい値にするデータである場合」に相当する。
　そして、引用例２に、白っぽい黄色を表示する場合に、「ＲとＧの輝度が同じであると意図されたが、明らかにＲのピークがＧのピークより低く、それによって生じた輝度はＲとＧの間で異なり、 結果として生じる色は、目標の色度から緑にシフトされる」ということが記載されていることから、目標の色度が緑色にシフトしてしまうのを防ぐため、相対的にＧ（緑色）のデータ（「第２の表示データ」）を、Ｒ（赤色）のデータ（「第１の表示データ」）よりも小さくし、結果として目標の色度となるように調整する程度のことは、当業者の通常の創作能力の発揮の域を出るものではない。
　
　引用発明は、フィールドシーケンシャル液晶表示装置において緑単色を表示した場合の発明であるが、フィールドシーケンシャル液晶表示装置としては、緑単色だけでなく、白っぽい黄色を表示することは十分に想定されることであり、引用例２に記載された、フィールドシーケンスカラー方法で、ＴＦＴ液晶ディスプレーで白っぽい黄色を表示する場合の技術事項に接した当業者にとって、引用発明のフィールドシーケンシャル液晶表示装置で白っぽい黄色を表示する場合に、同じであると意図されたＲデータ及びＧデータを、相対的にＧデータ（「第２の表示データ」）を、Ｒのデータ（「第１の表示データ」）よりも小さくするよう演算し、本件補正発明のように「前記第１データと前記第２データとが前記画素の光の透過率を所定の値にするデータであり、前記第３データが前記画素の光の透過率を前記所定の値よりも小さい値にするデータである場合、前記第１表示用データにより制御される前記画素の光の透過率よりも小さくなるように前記第２表示用データを変換」することは、当業者が容易に想到し得ることである。
　そして、本件補正発明の作用効果も、引用発明及び引用例２に記載された技術事項から当業者が予測可能なものであって格別のものではない。
　　
（５）まとめ
　以上のとおり、本件補正発明は、引用発明及び引用例２に記載された技術事項に基づいて当業者が容易に発明をすることができたものであるから、特許法第２９条第２項の規定により特許出願の際独立して特許を受けることができないものである。
　
４　補正の適否（特許法第３６条第２項による独立特許要件）について
　請求項２に記載された発明特定事項、すなわち、「前記第２データが前記画素の光の透過率を最大値とするデータである場合、前記第１表示用データが、前記第１表示用データにより制御される前記画素の光の透過率が前記最小値より大きく、且つ、前記最大値よりも小さくなるようにすること」と、引用する請求項１において本件補正により追加された発明特定事項、すなわち、「前記第１データと前記第２データとが前記画素の光の透過率を所定の値にするデータであり、前記第３データが前記画素の光の透過率を前記所定の値よりも小さい値にするデータである場合、前記第１表示用データにより制御される前記画素の光の透過率よりも小さくなるように前記第２表示用データを変換する」こととの関係について検討する。
　ここで、請求項２に記載された発明特定事項のとおり、「前記第２データが前記画素の光の透過率を最大値とするデータである場合」を、本件補正により追加された発明特定事項に当てはめてみると、「第１データ」と「第２データ」とがいずれも「画素の光の透過率を最大値とするデータ」である、すなわち、「所定の値」が「最大値」であり、かつ、「第３データ」について「最大値」よりも「小さい値」であったとき、「第１表示用データ」について「最小値よりも大きく」「最大値よりも小さくなるようにする」とともに、「第２表示用データ」について「前記第１表示用データにより制御される前記画素の光の透過率よりも小さくなるように」することとなる。このとき「最小値よりも大き」な「第１表示用データ」よりも小さくなるように変換される「第２表示用データ」は、「最小値」とするものを含むことになるが、変換前に「最大値」であったものを表示データとしては「最小値」に変換することは、表示上は意図しないものとなってしまうと考えられ、不合理であるから、補正後の請求項２に係る発明は明確でない。
　また、請求項２を直接又は間接的に引用する場合の請求項３〜５に係る発明についても同様である。
　したがって、本件補正の特許請求の範囲の記載が、特許法第３６条第６項第２号に規定する要件を満たしていないため、本件補正の請求項２〜５に係る発明は、特許出願の際独立して特許を受けることができないものである。
　
５　補正の適否についてのまとめ
　上記「２」のとおり、本件補正は、特許法第１７条の２第５項の各号に掲げるいずれの事項を目的とするものにも該当せず、同法第１７条の２第５項の規定に違反するものであるから、同法第１５９条第１項において読み替えて準用する同法第５３条第１項の規定により却下されるべきものである。また、本件補正が限定的減縮を目的とするものといえたとしても、補正後の請求項１〜５に係る発明は、上記「３」、「４」のとおり、特許出願の際独立して特許を受けることができず、本件補正は、特許法第１７条の２第６項において準用する同法第１２６条第７項の規定に違反するものであるから、同法第１５９条第１項において読み替えて準用する同法第５３条第１項の規定により却下されるべきものである。
　
第３　本願発明について
１　本願発明
　本件補正は上記のとおり却下されたので、本願の請求項１ないし５に係る発明は、補正１によって補正された特許請求の範囲の請求項１ないし５に記載された事項により特定されるとおりのものと認められるところ、その請求項１に係る発明は、上記「第２　１　（本件補正前）」に記載したとおりである。（以下、「本願発明」という。）
　
２　原査定の拒絶の理由
　原査定の拒絶の理由は、概略、特許請求の範囲に記載の各発明は、いずれも出願前に国内又は外国において頒布された刊行物である引用例１に記載された発明であるから、特許法第２９条第１項第３号に該当し、特許を受けることができず、また、引用例１に記載された発明に基づいて当業者が容易に発明をすることができたものであるから、特許法第２９条第２項の規定により特許を受けることができない、というものである。
３　引用例記載の事項・引用発明
　原査定の拒絶の理由に引用された引用例１に記載の事項及び引用発明は、前記「第２　３（２）ア」に記載したとおりである。
　
４　対比・判断
　本願発明は、前記「第２」で検討した本件補正発明から、変換部について「前記第１データと前記第２データとが前記画素の光の透過率を所定の値にするデータであり、前記第３データが前記画素の光の透過率を前記所定の値よりも小さい値にするデータである場合、前記第１表示用データにより制御される前記画素の光の透過率よりも小さくなるように前記第２表示用データを変換する」との特定を省いたものであり、本件補正発明と引用発明との上記相違点に関する構成が省かれたものである。
　そうすると、本願発明と引用発明との対比において、相違点はない。
　
５　むすび
　以上のとおり、本願発明は引用発明であるから、特許法第２９条第１項第３号に該当し、特許を受けることができない。
　したがって、他の請求項に係る発明について審理するまでもなく、本願は拒絶すべきものである。
　よって、結論のとおり審決する。